(57)【要約】【課題】本発明は簡単な構造で、基板占有面積（カードを取り出す際の面積も含めて）も大きくならず、小さいカード５０でも容易に取り出すことができる構造のカードコネクタ１０を提供する。【解決手段】  本目的は複数のコンタクト１４、１５、２４、２５、３４、３５と底壁１２１と前壁１２２と奥壁１２３と２つの側壁１２４、１２４を有するハウジング１２とシェル１６を備えるカードコネクタにおいて、部材２０を更に装着し、ハウジング１２の前壁１２２側に摺動可能に装着した部材２０を、シェル１６をハウジング１２の奥壁１２３側に摺動（移動）させた後に、部材２０をカード装着方向に摺動（移動）せることによりカード５０を抜去するようにしたものである。【選択図】  図１
2014099380.tif 000002
【特許請求の範囲】
【請求項１】
カードが着脱されるカードコネクタであって、
前記カードと接触する接触部と基板に接続する接続部を有する複数のコンタクトと、
該コンタクトが配列・保持されるハウジングと、
該ハウジングに装着されるシェルと、を備えるカードコネクタにおいて、
前記ハウジングは底壁と前壁と２つの側壁と奥壁とを有し、それぞれの壁により前記カードが入る嵌合口を形成し、
前記シェルは前記ハウジングの２つの側壁に摺動可能に装着され、
前記ハウジングの前壁側に、摺動可能な部材を装着し、
前記シェルを前記奥壁側に摺動（移動）させた後に、前記部材を前記カード装着方向に摺動（移動）せることにより前記カードを抜去することを特徴とするカードコネクタ。
【請求項２】
前記部材には前記カード装着方向側に傾斜部を設け、
前記部材を前記カード装着方向に摺動（移動）せることにより前記傾斜部が前記カードの下面側に入ることにより前記カードを抜去することを特徴とする請求項１記載のカードコネクタ。
【請求項３】
前記シェルには一方側（前記カード装着側）に弾性部を設け、
前記弾性部と前記コンタクトの接触部で挟持することにより、前記部材で前記カードを押し上げても前記カードが飛び出さないようすることを特徴とする請求項１または２記載のカードコネクタ。
【請求項４】
前記カードが装着され、かつ、前記カードを前記シェルで押さえている状態の時には、前記部材が摺動しないような摺動防止手段を設けることを特徴とする請求項１、２または３記載のコネクタ。
【発明の詳細な説明】
【技術分野】
【０００１】
本発明は、スマートフォーンを含む携帯電話等の電気機器や電子機器や携帯端末に使用されるカードコネクタに関するもので、特に、コネクタを大きくすることなく、小さいカードでも簡単にカードを抜去（取り出すことが）できる構造に関するものである。
【背景技術】
【０００２】
一般的なカードコネクタは、少なくともカードに接触する接触部と基板に接続する接続部を有する複数のコンタクトと該コンタクトが保持・配列されるハウジングとカードを取り出す（抜去する）イジェクト機構（手による取り出しも含め）とを備え、カードが挿入される嵌合口を有している。さらに、ＥＭＩ対策等のために、金属のシェルを備えることがある。
イジェクト機能としては、下記に示す特許文献１のように手で取り出すタイプや特許文献２のようにトレイ方式でトレイを引き出してカードを取り出すタイプや文献として挙げていないが、弾性部材（バネ等）を配置してカードを押し出すタイプなどがある。
下記に、本出願人が提案した文献として、カードコネクタを挙げます。手でカードを引き抜くタイプとして特許文献１（特開２０１１−１８１４７１）と、トレイタイプとして特許文献２（特開２００８−４５２３）を挙げます。
【特許文献１】特開２０１１−１８１４７１。この文献の要約によると、１．５ｍｍ以下の低背（薄型）化とカードの幅や奥行より０．４〜１ｍｍしか大きくしないですむ構造のカードコネクタを提供することを目的とし、所要数のコンタクト１４とハウジング１２とシェル１６とを備えるカードコネクタ１０において、ハウジング１２とシェル１６によりカードが入る嵌合口２０を形成し、コンタクト１４を一体成形によりハウジング１２に保持するとともにハウジング１２の幅方向両側に略板状片の金属体１８をコンタクト１４と同時に一体成形により配置し、シェル１６の幅方向両側及びカード挿入側の反対側に略Ｌ字形状の突出片３２を設けるとともに幅方向両側の突出片３２を段違いに交互に千鳥に配置し、幅方向両側の段違いに交互に配置された突出片３２で金属体１８を挟み込むように係合させ、かつ、カード挿入側の反対側の突出片３２を金属体１８に係合させることにより達成できる構造のカードコネクタが開示されている。
【特許文献２】特開２００８−４５２３。この文献の要約によると、簡単な構造で、２．０ｍｍ以下のコネクタの低背化ができ、安全性にも優れた構造のカードコネクタを提供することを目的とし、メモリカード６０が着脱自在に挿抜されるカードコネクタ１０であって、メモリカード６０の接続部と接触するコンタクト１４と、コンタクト１４が配列・保持されるハウジング１２とを備えるカードコネクタ１０において、ハウジング１２の幅方向両側に突出するように金属製のメタルプレート１６を装着し、メタルプレート１６には一体に基板へ接続する接続部１６３を設け、複数のメーリカード６０を装着する金属製のトレイ１８を設けるとともにトレイ１８の幅方向両側の一方端側を略Ｌ字形状に折り曲げ、この折り曲げた部分２６をメタルプレート１６上に摺動可能に係合させることにより達成できる構造のカードコネクタが開示されている。
【発明の開示】
【発明が解決しようとする課題】
【０００３】
近年、カードも長さが１２．３ｍｍで、幅が８．８ｍｍで、厚さが０．６７ｍｍというように小型化しており、カードコネクタも小型化してきている。カードが小型化することで、カードの取扱いがし難くなってきており、コネクタからカードを取り出し難くなってきている。さらに、客先からはカードコネクタの基板占有面積（カードを取り出す際の面積も含めて）も出来る限り小さくしたいという要求もある。
特許文献１は、手（指）で掴むことでカードを取り出していたが、上記のようなカードサイズになると手（指）で掴むことが困難（掴むエリアが無い）で、カードを取り出すことが出来ない。
特許文献２は、トレイを引き出してカードを取り出すタイプですが、上記のようなカードサイズではトレイのストローク（移動距離）を稼ぐことが困難であり、さらに、トレイを引き出す為のエリアが必要になりコネクタの基板占有面積が大きくなってしまう。
【０００４】
本発明は、このような従来の問題点に鑑みてなされたもので、簡単な構造で、基板占有面積（カードを取り出す際の面積も含めて）も大きくならず、小さいカードでも容易に取り出すことができる構造のカードコネクタを提供するものである。
【課題を解決するための手段】
【０００５】
本目的は、請求項１記載のように、カードが着脱されるカードコネクタであって、
前記カードと接触する接触部と基板に接続する接続部を有する複数のコンタクトと、
該コンタクトが配列・保持されるハウジングと、
該ハウジングに装着されるシェルと、を備えるカードコネクタにおいて、
前記ハウジングは底壁と前壁と２つの側壁と奥壁とを有し、それぞれの壁により前記カードが入る嵌合口を形成し、
前記シェルは前記ハウジングの２つの側壁に摺動可能に装着され、
前記ハウジングの前壁側に、摺動可能な部材を装着し、
前記シェルを前記奥壁側に摺動（移動）させた後に、前記部材を前記カード装着方向に摺動（移動）せることにより前記カードを抜去することを特徴とするカードコネクタにすることにより達成できる。
【０００６】
請求項２記載のカードコネクタは、前記部材には前記カード装着方向側に傾斜部を設け、
前記部材を前記カード装着方向に摺動（移動）せることにより前記傾斜部が前記カードの下面側に入ることにより前記カードを抜去することを特徴とする請求項１記載のカードコネクタにある。
また、請求項３記載のカードコネクタは、前記シェルには一方側（前記カード装着側）に弾性部を設け、
前記弾性部と前記コンタクトの接触部で挟持することにより、前記部材で前記カードを押し上げても前記カードが飛び出さないようすることを特徴とする請求項１または２記載のカードコネクタにある。
さらに、請求項４記載のカードコネクタは、前記カードが装着され、かつ、前記カードを前記シェルで押さえている状態の時には、前記部材が摺動しないような摺動防止手段を設けることを特徴とする請求項１、２または３記載のコネクタにある。
【発明の効果】
【０００７】
以上の説明から明らかなように、本発明のカードコネクタによると、次のような優れた効果が得られる。本発明のカードコネクタでは、簡単な構造で、基板占有面積（カードを取り出す際の面積も含めて）も大きくならず、小さいカードでも容易に取り出すことができる構造のカードコネクタを提供できる。
（１）カードが着脱されるカードコネクタであって、前記カードと接触する接触部と基板に接続する接続部を有する複数のコンタクトと、該コンタクトが配列・保持されるハウジングと、該ハウジングに装着されるシェルと、を備えるカードコネクタにおいて、前記ハウジングは底壁と前壁と２つの側壁と奥壁とを有し、それぞれの壁により前記カードが入る嵌合口を形成し、前記シェルは前記ハウジングの２つの側壁に摺動可能に装着され、前記ハウジングの前壁側に、摺動可能な部材を装着し、前記シェルを前記奥壁側に摺動（移動）させた後に、前記部材を前記カード装着方向に摺動（移動）せることにより前記カードを抜去することを特徴とするカードコネクタにしているので、簡単な構造で、基板占有面積（カードを取り出す際の面積も含めて）も大きくならず、小さいカードでも容易に取り出すことができる。
（２）請求項２記載のカードコネクタは、前記部材には前記カード装着方向側に傾斜部を設け、前記部材を前記カード装着方向に摺動（移動）せることにより前記傾斜部が前記カードの下面側に入ることにより前記カードを抜去することを特徴とする請求項１記載のカードコネクタにしているので、簡単な構造で、基板占有面積（カードを取り出す際の面積も含めて）も大きくならず、小さいカードでも容易にカードの下面を押し上げるだけで取り出すことができる。
（３）請求項３記載のカードコネクタは、前記シェルには一方側（前記カード装着側）に弾性部を設け、前記弾性部と前記コンタクトの接触部で挟持することにより、前記部材で前記カードを押し上げても前記カードが飛び出さないようすることを特徴とする請求項１または２記載のカードコネクタにしているので、簡単な構造で、基板占有面積（カードを取り出す際の面積も含めて）も大きくならず、小さいカードでも容易に取り出すことができ、かつ、カードが飛び出すことがない。
（４）請求項４記載のカードコネクタは、前記カードが装着され、かつ、前記カードを前記シェルで押さえている状態の時には、前記部材が摺動しないような摺動防止手段を設けることを特徴とする請求項１、２または３記載のコネクタにしているので、簡単な構造で、基板占有面積（カードを取り出す際の面積も含めて）も大きくならず、小さいカードでも容易に取り出すことができ、さらに、カード装着時の安全性が確保できる。
【図面の簡単な説明】
【０００８】
【図１】（Ａ）  本発明のカードコネクタをカード装着方向上側よりみた斜視図である。（Ｂ）  カードが抜去された状態の本発明のカードコネクタをカード装着方向上側よりみた斜視図である。（Ｃ）  本発明のカードコネクタをカード装着方向の反対側よりみた斜視図である。
【図２】（Ａ）  カードが装着される前の本発明のカードコネクタを、あるコンタクト部分で断面した断面図である。（Ｂ）  カードが装着された状態の本発明のカードコネクタを、あるコンタクト部分で断面した断面図である。（Ｃ）  カードが装着され、かつ、シェルが奥壁側に摺動した状態の本発明のカードコネクタを、あるコンタクト部分で断面した断面図である。（Ｄ）  シェルが奥壁側に摺動し、かつ、カードが抜去した状態の本発明のカードコネクタを、あるコンタクト部分で断面した断面図である。
【図３】（Ａ）  部材を、カードと接する側の上方よりみた斜視図である。（Ｂ）  部材を、カードと接する側と反対側の下方よりみた斜視図である。
【図４】（Ａ）  ハウジングを、カード装着方向よりみた斜視図である。（Ｂ）  ハウジングを、カード装着方向の反対側よりみた斜視図である。（Ｃ）  ハウジングを、あるコンタクト挿入孔部分で断面した断面図である。
【図５】（Ａ）  シェルを、カードと接する側よりみた斜視図である。（Ｂ）  シェルを、カードと接する側と反対側よりみた斜視図である。
【図６】（Ａ）〜（Ｆ）  ６種類のそれぞれのコンタクトを接触部方向よりみた斜視図である。
【図７】固定具の斜視図である。
【図８】カードの斜視図である。
【発明を実施するための最良の形態】
【０００９】
本発明の特徴は、カード５０が着脱されるカードコネクタ１０であって、前記カード５０と接触する接触部１４１、１５１、２４１、２５１、３４１、３５１と基板に接続する接続部１４３、１５３、２４３、２５３、３４３、３５３を有する複数のコンタクト１４、１５、２４、２５、３４、３５と、該コンタクト１４、１５、２４、２５、３４、３５が配列・保持されるハウジング１２と、該ハウジング１２に装着されるシェル１６と、を備えるカードコネクタ１０において、前記ハウジング１２は底壁１２１と前壁１２２と２つの側壁１２４、１２４と奥壁１２３とを有し、それぞれの壁により前記カードが入る嵌合口５を形成し、前記シェル１６は前記ハウジング１２の２つの側壁１２４、１２４に摺動可能に装着され、前記ハウジング１２の前壁１２２側に、摺動可能な部材２０を装着し、前記シェル１６を前記奥壁１２３側に摺動（移動）させた後に、前記部材２０を前記カード装着方向に摺動（移動）せることにより前記カード５０を抜去するようにしたものである。
つまり、前記ハウジング１２の前壁１２２側に摺動可能に装着した部材２０を、前記シェル１６を前記奥壁１２３側に摺動（移動）させた後に、前記部材２０を前記カード装着方向に摺動（移動）せることにより前記カード５０を抜去するようにしたものである。
【００１０】
図１から図８に基づいて、本発明のカードコネクタ１０の一実施例について説明する。図１（Ａ）は本発明のカードコネクタをカード装着方向上側よりみた斜視図であり、（Ｂ）はカードが抜去された状態の本発明のカードコネクタをカード装着方向上側よりみた斜視図であり、（Ｃ）は本発明のカードコネクタをカード装着方向の反対側よりみた斜視図である。図２（Ａ）はカードが装着される前の本発明のカードコネクタを、あるコンタクト部分で断面した断面図であり、（Ｂ）はカードが装着された状態の本発明のカードコネクタを、あるコンタクト部分で断面した断面図であり、（Ｃ）はカードが装着され、かつ、シェルが奥壁側に摺動した状態の本発明のカードコネクタを、あるコンタクト部分で断面した断面図であり、（Ｄ）はシェルが奥壁側に摺動し、かつ、カードが抜去した状態の本発明のカードコネクタを、あるコンタクト部分で断面した断面図である。図３（Ａ）は部材を、カードと接する側の上方よりみた斜視図であり、（Ｂ）は部材を、カードと接する側と反対側の下方よりみた斜視図である。図４（Ａ）はハウジングを、カード装着方向よりみた斜視図であり、（Ｂ）はハウジングを、カード装着方向の反対側よりみた斜視図であり、（Ｃ）はハウジングを、あるコンタクト挿入孔部分で断面した断面図である。図５（Ａ）はシェルを、カードと接する側よりみた斜視図であり、（Ｂ）はシェルを、カードと接する側と反対側よりみた斜視図である。図６（Ａ）〜（Ｆ）は６種類のそれぞれのコンタクトを接触部方向よりみた斜視図である。図７は固定具の斜視図である。図８はカードの斜視図である。
【００１１】
本発明のカードコネクタ１０は、少なくともハウジング１２と６種類（複数）のコンタクト１４、１５、２４、２５、３４、３５とシェル１６と部材２０を備えている。本実施例では更に固定具１８を備えたカードコネクタ１０について説明する。
【００１２】
構成部品を説明する前に、本実施例に使用するカード５０について説明する。前記カード５０には複数のコンタクト１４、１５、２４、２５、３４、３５と接触する接点５０１が所定の位置に設けられている。前記カード５０の大きさは、長さが１２．３ｍｍで、幅が８．８ｍｍで、厚さが０．６７ｍｍというものである。
【００１３】
図に基づいて本発明のコネクタ１０の構成部品について説明する。まず、本発明のポイントである部材２０について説明する。この部材２０は電気絶縁性のプラスチックであり、公知技術の射出成形によって製作され、この材質としては寸法安定性や加工性やコスト等を考慮して適宜選択するが、一般的にはポリブチレンテレフタレート（ＰＢＴ）やポリアミド（６６ＰＡ、４６ＰＡ）や液晶ポリマー（ＬＣＰ）やポリカーボネート（ＰＣ）やこれらの合成材料を挙げることができる。
【００１４】
前記部材２０は略Ｕ字形状をしており、操作部２０１を有し、該操作部２０１の幅方向両側には突出部２０２が設けられている。前記操作部２０１は、手（指）で前記部材２０を押す部分である。その為、略柱状をしており、手（指）が触れる部分は平面状になっている。前記操作部２０１の形状・大きさは、手（指）で押すことが出来ればよく、役割やコネクタの小型化や加工性や強度等を考慮して適宜設計する。
【００１５】
前記突出部２０２は、前記部材２０を摺動（移動）させて、前記カード５０を上方向に押し上げるための部分である。前記突出部２０２の形状・大きさは、摺動した際に前記カード５０を上方向に押し上げられればよく、役割やコネクタの小型化や加工性や強度等を考慮して適宜設計している。
【００１６】
前記突出部２０２の先端の形状は、上述のような役割を満足すれば如何なるものでも良いが、前記カード５０の下面に入る際に前記カード５０を傷付けることなく、入り込み易い形状であることが望ましい。例えば、傾斜形状とか、Ｃ面取りとか、Ｒ形状とかなどを挙げることができる。本実施例では、前記突出部２０２の先端に、傾斜部２０３が設けられている。
【００１７】
前記突出部２０２の幅方向には、前記部材２０が摺動（移動）する際のガイドとしての役割である係合部２０４が設けられている。前記係合部２０４が前記ハウジング１２の係止部１２５と係合することで、前記部材２０は前記カード２０の装着方向へスムーズに摺動できる。前記係合部２０４の形状・大きさは、摺動性やガイド性やコネクタの小型化や加工性や強度等を考慮して適宜設計する。本実施例では、楕円の凸部形状にしている。
【００１８】
次に、ハウジング１２について説明する。このハウジング１２は電気絶縁性のプラスチックであり、公知技術の射出成形によって製作され、この材質としては寸法安定性や加工性やコスト等を考慮して適宜選択するが、一般的にはポリブチレンテレフタレート（ＰＢＴ）やポリアミド（６６ＰＡ、４６ＰＡ）や液晶ポリマー（ＬＣＰ）やポリカーボネート（ＰＣ）やこれらの合成材料を挙げることができる。
【００１９】
前記ハウジング１２は、底壁１２１と前壁１２２と奥壁１２３と２つの側壁１２４とを有し、それぞれの壁により前記カード５０が入る嵌合口５を形成している。それぞれの壁の形状・大きさは、前記カード５０の形状に沿い、かつ、安定して維持できることやコネクタの小型化や加工性や強度等を考慮して適宜設計する。前記前壁２０１には、前記カード挿入側に、前記カード５０が挿入し易いようにテーパが設けられている。
【００２０】
前記ハウジング１２に、６種類の前記コンタクト１４、１５、２４、２５、３４、３５は一体成形によって保持されている。そのため、図４の前記ハウジング１２には、６種類の前記コンタクト１４、１５、２４、２５、３４、３５が挿入される挿入孔がない。本実施例では、コネクタの小型化や加工性等を考慮して一体成形にしたが、圧入や溶接等であってもよい。圧入や溶接等の場合には、それぞれの前記コンタクト１４、１５、２４、２５、３４、３５を挿入するための挿入孔を設ける必要がある（図示せず）。
【００２１】
２つの前記側壁１２４には、幅方向両側で、かつ、前記前壁１２２側に前記固定具１８が装着される装着孔１２６が設けられている。前記装着孔１２６は、前記固定具１８が入り、安定して保持できれば、いかなる形状・大きさであってもよい。前記装着孔１２６の形状・大きさは、前記固定具１８の形状に沿い、保持力や加工性やコネクタの小型化や強度等を考慮して適宜設計する。
【００２２】
２つの前記側壁１２４には、幅方向両側で、かつ、前記前壁１２２側に、前記部材２０の係合部２０４と係合する係止部１２５が設けられている。前記係止部１２５は、前記係合部２０４と係合し、前記部材２０の摺動時にガイドをする部分である。前記係止部１２５の形状・大きさは、前記係合部２０４の形状・大きさに沿い、前記係合部２０４と係合出切ればよく、ガイド性や摺動性やコネクタの小型化や加工性や強度等を考慮して適宜設計する。
【００２３】
２つの前記側壁１２４には、幅方向両側で、かつ、前記奥壁１２３側に、前記シェル１６の引っ掛け部１６３と係合する（引っかかる）引っ掛かり部１２７が設けられている。前記引っ掛かり部１２７は、前記シェル１８を保持し、かつ、摺動する部分である。前記引っ掛かり部１２７の形状・大きさは前記シェル１８が摺動できるように引っ掛かっていればよく、摺動性や保持力や加工性や強度等を考慮して適宜設計する。
【００２４】
２つの前記側壁１２４には、幅方向両側で、かつ、前記奥壁１２３側に、前記シェル１６の凸部１６４と係合する（入る）レール部１２９が設けられている。前記レール部１２９は、前記シェル１６の摺動時にガイドする部分であり、ガイドできれば如何なるものであってもよい。本実施例では、前記シェル１６の凸部１６４の形状に沿い凹形状にしている。前記レール部１２９の形状・大きさは、前記シェル１８がガイドできればよく、ガイド性や摺動性やコネクタの小型化や加工性等を考慮して適宜設計する。
【００２５】
２つの前記側壁１２４には、幅方向両側で、かつ、前記奥壁１２３側に、前記シェル１８が前記ハウジング１２から抜けなく、摺動を制御する突部１２８が設けられている。前記突部１２８の形状・大きさは、抜けなく、摺動を制御できればよく、その役割や摺動性やコネクタの小型化や加工性や強度等を考慮して適宜設計する。
【００２６】
次に、前記シェル１６について説明する。前記シェル１６は金属製であり、公知技術のプレス加工によって製作されている。前記シェル１６の材質としては、バネ性や導電性や寸法安定性などが要求されるので、黄銅やベリリウム銅やリン青銅等を挙げることができる。前記シェル１６は、本体１６１と弾性部１６２と引っ掛け部１６３と凸部１６４と突出片１６５とを有している。
【００２７】
前記本体１６１は、ＥＭＩ対策として、前記カード５０を部分的に覆う部分である。その形状・大きさは、前記カード５０の大きさに沿い、ＥＭＩ対策やコネクタの小型化や加工性や強度等を考慮して適宜設計する。
【００２８】
前記弾性部１６２は、前記カード５０を取り出す際に、６種類の前記コンタクト１４、１５、２４、２５、３４、３５の接触部１４１、１５１、２４１、２５１、３４１、３５１とで挟み込むことで前記カード５０の飛び出しを防止するためのものである。前記弾性部１６２の形状・大きさは、このような役割やカードへの傷付け防止やコネクタの小型化や加工性や強度等を考慮して適宜設計する。本実施例では、先端部分を丸めて円形状にしている。
【００２９】
前記引っ掛け部１６３は、前記引っ掛かり部１２７と係合し（引っ掛かり）、前記シェル１８を保持し、かつ、摺動する部分である。前記引っ掛け部１６３の形状・大きさは前記シェル１８が摺動できるように引っ掛かっていればよく、摺動性や保持力や加工性や強度等を考慮して適宜設計する。
【００３０】
前記凸部１６４は、前記ハウジング１２のレール部１２９と係合することで、前記シェル１６の摺動時にガイドする部分であり、ガイドできれば如何なるものであってもよい。本実施例では、前記ハウジング１２のレール部１２９の形状に沿い凸形状にしている。前記凸部１６４の形状・大きさは、前記シェル１８がガイドできればよく、ガイド性や摺動性やコネクタの小型化や加工性等を考慮して適宜設計する。
【００３１】
前記突出片１６５は、前記ハウジング１２の突部１２８に当たることで、前記シェル１６が前記ハウジング１２から抜けなく、摺動を制御するものである。前記突出片１６５の形状・大きさは、抜けなく、摺動を制御できればよく、その役割や摺動性やコネクタの小型化や加工性や強度等を考慮して適宜設計する。
【００３２】
次に、６種類（複数）の前記コンタクト１４、１５、２４、２５、３４、３５について説明する。６種類のそれぞれの前記コンタクト１４、１５、２４、２５、３４、３５は金属製であり、公知技術のプレス加工によって製作されている。６種類のそれぞれの前記コンタクト１４、１５、２４、２５、３４、３５の材質としては、バネ性や導電性や寸法安定性などが要求されるので、黄銅やベリリウム銅やリン青銅等を挙げることができる。本実施例では、それぞれの前記コンタクト１４、１５、２４、２５、３４、３５に前記ハウジング１２に一体成形により固定されている。
【００３３】
６種類（複数）の前記コンタクト１４、１５、２４、２５、３４、３５は、前記カード５０の接点５０１に接触する接触部１４１、１５１、２４１、２５１、３４１、３５１と基板に接続する接続部１４３、１５３、２４３、２５３、３４３、３５３とを有している。前記接触部１４１、１５１、２４１、２５１、３４１、３５１は、前記接点５０１と接触し易いように湾曲形状にしている。
【００３４】
前記接続部１４３、１５３、２４３、２５３、３４３、３５３は、基板の占有面積を考慮して、表面実装（ＳＭＴ）タイプにしている。
【００３５】
次に、固定具１８について説明する。前記固定具１８は金属製であり、公知技術のプレス加工によって製作されている。前記固定具１８の材質としては、バネ性や導電性などが要求されるので、黄銅やベリリウム銅やリン青銅等を挙げることができる。本実施例では、前記固定具１８は前記ハウジング１２の装着孔１２６に固定部１８２を圧入によって固定されている。
【００３６】
前記固定具１８は、コネクタの実装強度を高めるためのものであり、大きさや形状は実装強度や寸法安定性や加工性や強度等を考慮して適宜設計する。本実施例では、前記固定具１８は表面実装（ＳＭＴ）により基板に実装されている。
【００３７】
前記カード５０が装着されている際には、前記部材２０が摺動しないように、摺動防止手段が設けられている。例えば、弾性部材とを介在させて、手（指）で押圧しないと動かないようにする。
【００３８】
最後に、前記カード５０の取り出し方について説明する。前記カード５０をコネクタから取り出す際には、まず、前記シェル１６を前記奥壁１２３側に摺動させた後に、前記部材２０を前記カード５０側に摺動させる。摺動させると前記部材２０の傾斜部２０３が前記カード５０の下面に入り込み前記カード５０を上方向に持ち上げることで、前記カード５０を取り出すことができる。
【産業上の利用可能性】
【００３９】
本発明の活用例としては、スマートフォーンや携帯電話等の電気機器や電子機器や携帯端末に使用されるカードコネクタに活用され、コネクタを大きくすることなく、小さいカードでも簡単にカードを抜去（取り出すことが）できる構造に関するものである。
【符号の説明】
【００４０】
５      嵌合口
１０    カードコネクタ
１２    ハウジング
１２１  底壁
１２２  前壁
１２３  奥壁
１２４  側壁
１２５  係止部
１２６  装着孔
１２７  引っ掛かり部
１２８  突部
１２９  レール部
１４、１５、２４、２５、３４、３５              コンタクト
１４１、１５１、２４１、２５１、３４１、３５１  接触部
１４３、１５３、２４３、２５３、３４３、３５３  接続部
１６    シェル
１６１  本体
１６２  弾性部
１６３  引っ掛け部
１６４  凸部
１６５  突出片
１８    固定具
１８２  固定部
１８３  接続部
２０    部材
２０１  操作部
２０２  突出部
２０３  傾斜部
２０４  係合部
５０    カード
５０１  接点
【図１】
2014099380.tif 000003
【図２】
2014099380.tif 000004
【図３】
2014099380.tif 000005
【図４】
2014099380.tif 000006
【図５】
2014099380.tif 000007
【図６】
2014099380.tif 000008
【図７】
2014099380.tif 000009
【図８】
2014099380.tif 000010